Podtech/llm-jp-corpus-v4-ja_patent huggingface dataset:
(57)【要約】【課題】水エマルジョン燃料を噴射する際に水の熱解離反応を促進することができるディーゼルエンジンの水エマルジョン燃料噴射用燃焼室構造を提供する。【解決手段】水エマルジョン燃料を噴射するためのディーゼルエンジンの水エマルジョン燃料噴射用燃焼室構造において、ピストン１４の燃焼室壁面１６ｗに遮熱膜２０を配置したものである。【選択図】図１
2016008545.tif 000002
【特許請求の範囲】
【請求項１】
水エマルジョン燃料を噴射するためのディーゼルエンジンの水エマルジョン燃料噴射用燃焼室構造において、ピストンの燃焼室壁面に遮熱膜を配置したことを特徴とするディーゼルエンジンの水エマルジョン燃料噴射用燃焼室構造。
【請求項２】
前記遮熱膜は、ジルコニア膜からなる請求項１記載のディーゼルエンジンの水エマルジョン燃料噴射用燃焼室構造。
【請求項３】
前記遮熱膜は、ピストンの燃焼室表面をアルマイト処理したアルマイト膜からなる請求項１記載のディーゼルエンジンの水エマルジョン燃料噴射用燃焼室構造。
【発明の詳細な説明】
【技術分野】
【０００１】
本発明は、ディーゼルエンジンの燃焼室に水エマルジョン燃料を噴射してＮＯｘを低減するためのディーゼルエンジンの水エマルジョン燃料噴射用燃焼室構造に関するものである。
【背景技術】
【０００２】
ディーゼルエンジンにおいては、ＮＯｘ排出が問題となっており、その低減手法の一つとして、軽油と水を乳化剤により混合し、その混合燃料を燃焼室内に噴射する水エマルジョン噴射方式がある。
【０００３】
この技術の問題点として、燃焼室壁面に水、軽油混合燃料の燃焼ガスが衝突した際に、混合気の温度が低下し、十分なＮＯｘ低減効果が得られないことが挙げられる。
【先行技術文献】
【特許文献】
【０００４】
【特許文献１】特開平０８−１４４７７１号公報
【特許文献２】特開２０１３−２２７９１１号公報
【特許文献３】特開平０３−１１２８７２号公報
【特許文献４】特開２００４−０７６６０８号公報
【発明の概要】
【発明が解決しようとする課題】
【０００５】
ＮＯｘの主要な生成源であるサーマルＮＯｘは燃焼場の温度と当量比に依存し、燃焼温度が高温であるほどＮＯｘ生成量が多いことが知られている。
【０００６】
燃焼温度を低下させてＮＯｘ低減を図ることが水エマルジョン噴射の狙いであり、燃焼温度低下の主な要因は以下の３点が考えられる。
（１）水から水蒸気へ変化する際の蒸発潜熱による温度低下
（２）水蒸気が存在し、比熱が増加することによる燃焼温度上昇の抑制
（３）水蒸気の熱解離が引き起こす吸熱反応による温度低下
【０００７】
このうち、（３）の吸熱反応については熱解離が生じる約２４００Ｋまで場の温度が高くなる必要がある。
【０００８】
これに対して、燃焼ガスが壁面に衝突する際には、燃焼ガスより低温の壁面への熱が奪われるため、燃焼ガスの温度が低下してしまい、熱解離が生じる温度まで上昇しないために従来技術では水エマルジョン噴射の効果が低下してしまう。
【０００９】
そこで、本発明の目的は、上記課題を解決し、水エマルジョン燃料を噴射する際に水の熱解離反応を促進することができるディーゼルエンジンの水エマルジョン燃料噴射用燃焼室構造を提供することにある。
【課題を解決するための手段】
【００１０】
上記目的を達成するために水エマルジョン燃料を噴射するためのディーゼルエンジンの水エマルジョン燃料噴射用燃焼室構造において、ピストンの燃焼室壁面に遮熱膜を配置したことを特徴とするディーゼルエンジンの水エマルジョン燃料噴射用燃焼室構造である。
【００１１】
前記遮熱膜は、ジルコニアセラミック膜からなるのが好ましい。
【００１２】
前記遮熱膜は、ピストンの燃焼室表面をアルマイト処理したアルマイト膜からなるのが好ましい。
【発明の効果】
【００１３】
本発明は、燃焼室壁面に低熱容量、低熱伝導率を有する遮熱膜を配置し、そこに水エマルジョン燃料を噴霧衝突させることにより、従来よりも壁面衝突による燃焼ガスの温度の低下を抑制することができ、結果として効率的に熱解離反応を生じさせることができる。このため水エマルジョン燃料噴射によるＮＯｘ低減効果を十分に発揮させることができる。
【図面の簡単な説明】
【００１４】
【図１】本発明の一実施の形態を示す断面図である。
【発明を実施するための形態】
【００１５】
以下、本発明の好適な一実施の形態を添付図面に基づいて詳述する。
【００１６】
図１において、１０は、シリンダブロック１１とシリンダヘッド１２で形成されるシリンダ室で、そのシリンダ室１０内にピストン１４が摺動自在に設けられる。
【００１７】
ピストン１４は、その頂面１５に凹状の燃焼室１６が形成され、シリンダヘッド１２には、シリンダ室１０の中心に位置し、燃焼室１６の壁面１６ｗに水エマルジョン燃料を噴霧１７として噴射する燃料噴射ノズル１８が設けられる。
【００１８】
燃焼室１６の壁面１６ｗには、低熱容量、低熱伝導率を有する遮熱膜２０が配置される。
【００１９】
この遮熱膜２０は、燃焼室１６の表面にプラズマ溶射で熱伝導率の低いジルコニアセラミック膜を形成しても、またピストン１４がアルミニウム合金から構成されている場合、アルマイト処理でアルマイト（アルミナ）膜を形成するようにしてもよい。
【００２０】
この遮熱膜２０は、厚さが５０μｍ以上、好ましくは１００μｍ以上であればより遮熱効果を発揮できる。
【００２１】
また遮熱膜２０は、水エマルジョン燃料の噴霧１７が直接当たる燃焼室１６の壁面１６ｗに配置する例を示したが、燃焼室１６の上部内周縁やピストン１４の頂面１５にも同時に配置するようにしてもよい。
【００２２】
次に、本実施の形態の作用を説明する。
【００２３】
通常、ディーゼルエンジンの圧縮行程では、吸気は約５ＭＰａまで圧縮され、吸気温度は６００℃以上となり、水エマルジョン燃料が噴射されたときに、水エマルジョン燃料の噴霧１７が壁面１６ｗの遮熱膜２０に衝突した際に、水エマルジョン燃料の火炎で、水の熱解離温度（２４００Ｋ）まで場の温度が高まるが、従来では燃焼室１６の壁面１６ｗから熱が奪われて、水の熱解離温度まで上昇しないが、壁面１６ｗには遮熱膜２０が配置されるため、特性上、この壁面１６ｗの温度は燃焼ガスの温度に追従させることができ、従来の壁面温度よりも火炎が到達した際には瞬時的に温度が上昇する。
【００２４】
この高温の壁面１６ｗに燃焼ガスを衝突させることで、従来よりも壁面衝突による燃焼ガスの温度低下を抑制することができる。結果として効率的にＨ2ＯがＯＨ、Ｏ、Ｈに解離する熱解離反応を生じさせることができ、水エマルジョン燃料噴射によるＮＯｘ低減効果を発揮させることができる。
【符号の説明】
【００２５】
１０  シリンダ室
１４  ピストン
１６  燃焼室
１６ｗ  壁面
１７  水エマルジョン燃料の噴霧
２０  遮熱膜
【図１】
2016008545.tif 000003
(57)【要約】【課題】遠心力を利用した推進機の開発【解決手段】基盤（１）に設けたモーター（３）によってリンク装置を作動させ、それに設置した重り（１５）を設けた動歯車Ａ（９）と重り（１６）を設けた動歯車Ｂ（１３）を固定歯車（１１）のまわりを回転させることで遠心力を発生させ、架台（１０）でその方向を決めて推進力とする推進機。【選択図】図１
2016008714.tif 000002
【特許請求の範囲】
【請求項１】
基盤（１）に設置したモーター（３）によって、リンク装置を作動させ、それに設置した重り（１５）を設けた動歯車Ａ（９）と重り（１６）を設けた動歯車Ｂ（１３）を固定歯車（１１）のまわりを回転させることで遠心力を発生させ、架台（１０）によってその遠心力の方向を決め推進力とする推進機。
【発明の詳細な説明】
【技術分野】
【０００１】  本発明は輸送機関の推進機に関する。
【背景技術】
【０００２】  現在、輸送機関に用いられている推進機は種々有るが遠心力を利用した推進機は存在しない。
【発明の概要】
【発明が解決しようとする課題】
【０００３】  本発明は輸送機関に用いる遠心力を利用した推進機の開発を目的としている。
【課題を解決するための手段】
【０００４】  本発明は上記目的を達成するために、遠心力を発生させる重り、歯車、四節回転連鎖リンク装置（以下、リンク装置と称する）架台、動力としてのモーターが基盤に設置してある。【０００５】  モーターは基盤と架台を貫通するように設けた回転軸と連結しており、その回転軸にはリンク装置の第１のリンクの一端が連結している。第１のリンクの他端は第２のリンクの一端と回転軸で連結している。第２のリンクの他端は第３のリンクの一端と回転軸で連結している。【０００６】  第２のリンクと第３のリンクを連結する回転軸には歯車（以下、動歯車Ａと称する）が連結している。動歯車Ａと同じ直径と歯数の歯車（以下、固定歯車と称する）を第３のリンクの他端に設けた回転軸に設置してある。それは架台に固定してあり、動歯車Ａがそのまわりをまわるようにしてある。【０００７】  第３のリンクは固定歯車を設けた回転軸から伸長させ、動歯車Ａと同じ歯数と直径の歯車（以下、動歯車Ｂと称する）が固定歯車のまわりを回るように設置してある。
すなわち、動歯車Ａと動歯車Ｂと固定歯車は同じ直径、同じ歯数の歯車からなっている。【０００８】  動歯車Ａおよび動歯車Ｂはモーターの回転でリンク装置を介して固定歯車のまわりを回転する。また、動歯車Ａおよび動歯車Ｂには遠心力を発生させるための重りが設けてある。【０００９】  各動歯車に設ける重りの位置は、第２のリンクと第３のリンクが最も重なった状態で、動歯車Ａの重りは固定歯車の中心から最も離れた位置に設置され、動歯車Ｂの重りは固定歯車の中心に最も近くなる位置に設置する。【００１０】  第１のリンク、第２のリンク、第３のリンクの長さの比は第１のリンクを３とすると、第２のリンクは４から５、第３のリンクは５の割合が基準となる。【００１１】  架台は発生する遠心力の方向を変えることを目的としている。【００１２】  上記機構の作用は、モーターによってリンク装置の第１リンクを回転させる。それを第２のリンク、第３のリンクに伝えることで、動歯車Ａおよび動歯車Ｂを固定歯車のまわりを回転するようにする。これによって動歯車Ａおよび動歯車Ｂに設置した重りにより遠心力を発生させることができる。
【発明の効果】
【００１３】  上述のごとくして発生した遠心力を輸送機関の推進機として利用することができる。
【図面の簡単な説明】
【００１４】
【図１】本発明の実施形態を示す推進機の斜視図
【発明を実施するための形態】
【００１５】  以下、本発明の実施の形態を図１に基づいて説明する。
【００１６】  図１において、基盤１に設置した回転軸２でモーター３とリンク装置の第１のリンク４が連結している。第１のリンク４の他端は回転軸５で第２のリンク６と連結している。第２のリンク６の他端は回転軸７で第３のリンク８と連結している。
【００１７】  回転軸７には動歯車Ａ９が設置されている。第３のリンク８の他端は架台１０に固定された固定歯車１１の中心に設けた回転軸１２に連結しており、動歯車Ａ９は固定歯車１１のまわりを回転するようにしてある。
【００１８】  第３のリンク８を回転軸１２より回転軸７と回転軸１２の距離と同じ長さに伸長させ回転軸１４を設け動歯車Ｂ１３を設置し、それを中心に動歯車Ｂ１３が固定歯車のまわりを回るようにする。動歯車Ａ９と動歯車Ｂ１３が固定歯車のまわりを回ることで、それらに設けてある重り１５、重り１６も回るのである。
【００１９】  以下、上記機構の動作を説明する。モーター３でリンク装置の第１のリンク４を回転させることで、第２のリンク６を介して第３のリンク８が回転軸１２を中心に回転する。これによって重り１５を設けた動歯車Ａ９と重り１６を設けた動歯車Ｂ１３が固定歯車１２のまわりを回ることによって遠心力を発生するのである。また、架台１０を回転軸２を中心に一定角度回すことで遠心力の方向を決定し、架台１０をネジ１７で固定する。
【符号の説明】
【００２０】１、基盤
２、回転軸
３、モーター
４、第１のリンク
５、回転軸
６、第２のリンク
７、回転軸
８、第３のリンク
９、動歯車Ａ
１０、架台
１１、固定歯車
１２、回転軸
１３、動歯車Ｂ
１４、回転軸
１５、重り
１６、重り
１７、ネジ
【図１】
2016008714.tif 000003
(57)【要約】      （修正有）【課題】原動機から歯車を用いて動力を伝達する装置はバックラッシが存在しており、これがしばしば機械装置の動作に悪影響を与える事があるため、これの管理にコストがかかっていた。【解決手段】原動機２，４およびギヤボックス３，５を二つづつ用意し、この二つが出力軸６を共有するようにする。ギヤボックス３とギヤボックス５は原動機より受け取った動力を、歯車を用いて出力軸６に伝達する構造となっており、出力軸６に負荷を接続する【選択図】図１
2016008715.tif 000002
【特許請求の範囲】
【請求項１】
歯車を用いて動力を出力する原動機が二つ備えられており、なおかつこの二つが出力軸を共有していることを特徴とする、歯車を用いて動力を出力する原動機
【発明の詳細な説明】
【技術分野】
【０００１】  この発明は歯車を用いた原動機の構造に関するものである。
【背景技術】
【０００２】    現在、原動機から歯車を用い動力を伝達する機械が様々な場所で用いられているが、これらは出力軸のガタ、すなわちバックラッシが必ず存在するものであり、特に正逆転を繰り返す機械では、しばしばこれが機械の動作や堅牢性に悪影響を与える事がある。【０００３】    このためバックラッシの問題に対処すべく、自動車の原動機から繋がる部品のように、歯車のバックラッシの管理を行ったり、ロボットのサーボモーターのように可能な限りバックラッシが無くなるように設計する場合がある。
【先行技術文献】
【特許文献】
【０００４】    なし
【発明の概要】
【発明が解決しようとする課題】
【０００５】  しかしながら従来では上述のように、常に生産する部品のバックラッシを管理したり、またはバックラッシが発生しないような精密なギヤを作るために高いコストがかかる事になる。【０００６】  そこで本発明では、安価かつ容易にバックラッシを除去できる構造になっている、歯車によって動力が出力される原動機を提供する事を目的とする。
【課題を解決するための手段】
【０００７】      以上の問題点を解決するための第一発明は、歯車を用いて動力を出力する原動機が二つ備えられており、なおかつこの二つが出力軸を共有していることを特徴とする、歯車を用いて動力を出力する原動機である。
【発明の効果】
【０００８】    第一発明を用いると、バックラッシに対しての考慮がなされていない、安価なギヤードモータを二つ用意しただけでも、バックラッシが除去できるようになる。
【図面の簡単な説明】
【０００９】
【図１】本発明の一実施形態の全体を示す側面図である。
【図２】本発明の一実施形態の全体を示す側面図である。
【図３】本発明の一実施形態の全体を示す上面図である。
【発明を実施するための形態】
【００１０】  第一発明の一実施例について図１を用いて説明する。
まず原動機や、それと接続されるギヤーボックスを固定するための基板１があり、そこに原動機２とギヤボックス３、原動機４とギヤボックス５が直接または間接的に固定される。
そしてギヤボックス３とギヤボックス５は原動機より受け取った動力を、歯車を用いて出力軸６に伝達する構造となっており、出力軸６に負荷を接続する事になる。
また別の実施例として例えば図２のように、出力軸がギヤボックスを貫く構造であれば出力軸の端に負荷をかけることも出来るし、装置の幅を狭める必要があるのであれば図３のように、クランクアーム８およびクランクアーム９、およびこの二つを結合するロッド７を用いて出力軸への動力伝達を共有しても良い。
なお、出力軸へ伝達する回転方向は、どちらも同じ方向にする必要がある。
【００１１】  このようにする事により、重力の影響の受けにくい、例えば産業用ロボットの基部においてよく見られるような、地面に対して垂直な旋回軸を持つ回転軸の動作時にバックラッシ除去効果が発生する。
本発明は理論上において、原動機２、ギヤボックス３、原動機４、ギヤボックス５が全く同一性能の場合は機能しない現象を用いたものであるが、現実には同一の品物を作ろうとしても品物のばらつきは避けられないものであるため、ギヤボックスを回転させるとギヤボックス３とギヤボックス５内部の歯車は必ず回転数の差が生まれてくる。
こうなると「片方のスピードの速いギヤボックスが、もう片方のスピードの遅いギヤボックスを引っ張る」と言う状態になり、すなわちこれが「歯車で出力軸が挟まれた」状態を作り出し、バックラッシが除去される事になる。
なおこの機能は、小刻みに正転・逆転を繰り返す場合には正しく機能せず、また重力に引っ張られるロボットアームのように、大きな負荷が加わると機能しなくなるという欠点を持ち合わせているが、これらの問題を踏まえた上で機械の設計を行う事で、機械の製造や維持管理にかかるコストを大幅に減らす事ができるようになる。
【図１】
2016008715.tif 000003
【図２】
2016008715.tif 000004
【図３】
2016008715.tif 000005
(57)【要約】      （修正有）【課題】足指を全面的に露出させるタイプの靴下であって、脱着を容易にすると共に、安価に製造可能としたものを提供する。【解決手段】先端を全面的に開放した靴下であって、その先端２の開口縁部２１に、リング状の親指用指ベルト４１、リング状の中指用指ベルト４２、リング状の小指用指ベルト４３を設けている。好ましくは、親指用指ベルト４１、中指用指ベルト４２、小指用指ベルト４３が開口縁部２１の上半分の範囲に設けられている。【選択図】図２
2016008363.tif 000002
【特許請求の範囲】
【請求項１】
先端を全面的に開放した靴下（１）であって、その先端（２）の開口縁部（２１）に、リング状の親指用指ベルト（４１）、リング状の中指用指ベルト（４２）、リング状の小指用指ベルト（４３）を設けたことを特徴とする靴下。
【請求項２】
前記親指用指ベルト（４１）、前記中指用指ベルト（４２）、前記小指用指ベルト（４３）が前記開口縁部（２１）の上半分の範囲に設けられている請求項１記載の靴下。
【発明の詳細な説明】
【技術分野】
【０００１】
本発明は靴下に関し、特に足指を全面的に露出させるタイプの靴下に関する。
【背景技術】
【０００２】
足の指を動かすことは身体の保持性や運動性を向上させるのみならず、足に集中するつぼを刺激し、健康を増進させる効果があるといわれている。しかし、現代の生活においては、窮屈な靴を履いたり、足の運動が不足したりしているため、５本の足指を自在に動かせる機会が少ない。
【０００３】
また、足の指の間は、靴を履くことにより、汗などにより湿った状態となると共に通気が悪いために、白癬菌が増殖しやすく水虫疾患に最も冒されやすい個所である。
【０００４】
上記のような問題に対して、靴下の爪先部に５個の指袋を設けた、いわゆる５本指靴下が使用されている。また、指袋の先端を開放することにより、足指を全面的又は部分的に露出させるタイプの靴下も公知である（下記特許文献１、２参照）。
【先行技術文献】
【特許文献】
【０００５】
【特許文献１】特開２００２―１７３８０２
【特許文献２】特開２０１０―９０５１９
【発明の概要】
【発明が解決しようとする課題】
【０００６】
しかし、５本指靴下は、履きにくく、脱ぎにくいという致命的な欠点がある。足指を全面的又は部分的に露出させるタイプの靴下も既存のものはやはり履きにくく、脱ぎにくいものが多い。また、これらの靴下は指袋の製造が困難であるため、コスト高にならざるを得ない。
【０００７】
本発明の目的は、足指を全面的に露出させるタイプの靴下であって、脱着を容易にすると共に、安価に製造可能としたものを提供することである。
【課題を解決するための手段】
【０００８】
上記目的を達成する本発明の靴下は、先端を全面的に開放した靴下１であって、その先端２の開口縁部２１に、リング状の親指用指ベルト４１、リング状の中指用指ベルト４２、リング状の小指用指ベルト４３を設けたことを特徴とする（請求項１）。
【０００９】
好ましくは、前記親指用指ベルト４１、前記中指用指ベルト４２、前記小指用指ベルト４３は前記開口縁部２１の上半分の範囲に設けられる（請求項２）。
【発明の効果】
【００１０】
本発明の靴下は３つの指ベルト（親指用指ベルト、中指用指ベルト、小指用指ベルト）を靴下先端開口に設けているので、各指ベルトを親指、中指、小指にそれぞれ装着すると、人差し指は親指と中指の間に位置し、薬指は中指と小指の間に位置する。したがって、足指はそれぞれ指ベルトにより完全に分離される。この状態では、足指は付け根を除きほとんど全面的に解放状態であり、５本の足指を自在に動かすことができる。通気もよいので水虫疾患を予防することもできる。
【００１１】
以下、添付の図面に基づき、本発明の１実施例を説明する。
【図面の簡単な説明】
【００１２】
【図１】本発明の１実施例に係る靴下を装着している状態の斜視図である。
【図２】同靴下の（ａ）右側面図、（ｂ）正面図、（ｃ）平面図、（ｄ）左側面図、（ｅ）背面図、（ｆ）底面図である。これらの図面において、従来の靴下と同様であって、特徴のない部分は点線で表示している。
【図３】図２（ｂ）のＡ−Ａ断面図である。
【発明を実施するための形態】
【００１３】
図１に示すように、本発明の靴下１は、足指を全面的に露出させるタイプの靴下である。
【００１４】
この靴下１の先端は、図３に示すように、全面的に開放されて、開口２となっている。この先端以外の靴下部分３（足甲３１と足裏３２の一部、かかと部３３、足首３４の各部分）には新規な特徴はなく、それ自体公知のものである。そのことを端的に示すために、点線で表示している。
【００１５】
図２（ｂ）（ｅ）に示すように、この開口２の縁部２１の上半分の範囲において、リング状の３つの指ベルト４が設けられている。すなわち、親指用指ベルト４１、中指用指ベルト４２、小指用指ベルト４３である。リングの大きさは各指に相応の大きさである。
【００１６】
指ベルト４は、柔らかく、強靭で、弾力のある紐やテープで作成することが望ましい。この指ベルト部分４のみをそれ以外の靴下部分と異なる色彩とすれば、奇抜なデザインとなる。
【００１７】
この指ベルト４のリング４１、４２、４３を親指５、中指６、小指７にそれぞれ装着すると、人差し指８は親指５と中指６の間に位置し、薬指９は中指６と小指７の間に位置する（図１）。リングは３つであるが、足指はそれぞれ指ベルトにより完全に分離される。装着は単にリングを指にはめるだけであるから極めて容易である。同様に、足指から指ベルトを外すのも容易である。
【００１８】
装着状態では、足指は付け根を除きほとんど全面的に解放状態であり、５本の足指を自在に動かすことができる。通気もよいので水虫疾患を予防することができる。
【００１９】
この靴下を製造するには、先端２を開放させた靴下を編み上げた後、３つの指ベルト４１、４２、４３を開口縁２１に縫い付けるだけであるので、指袋を製造していた従来方法に比べて、製造が容易でかつ安価である。ただし、本発明は、指ベルト４１、４２、４３を含む形で靴下全体を編み上げる方法を排除するものではない。
【符号の説明】
【００２０】
１     靴下
２     開口
２１   開口縁部
３     先端以外の靴下部分
３１   足甲
３２   足裏
３３   かかと部
３４   足首
４     指ベルト
４１   親指用指ベルト
４２   中指用指ベルト
４３   小指用指ベルト
５     親指
６     中指
７     小指
８     人差し指
９     薬指
【図１】
2016008363.tif 000003
【図２】
2016008363.tif 000004
【図３】
2016008363.tif 000005
(57)【要約】【課題】  本発明の課題は、簡易化されかつコスト面で安価な機械制御の操作（部）を有する丸編み機を提供することである。【解決手段】  課題は、モバイル式の入力装置のワイヤレス式及び／又はワイヤード式の接続の為のインターフェースを有する機械制御装置を有する丸編み機により解決される。【選択図】なし【特許請求の範囲】
【請求項１】
モバイル式の入力装置のワイヤレス式及び／又はワイヤード式の接続の為のインターフェースを有する機械制御装置を有する丸編み機。
【請求項２】
入力装置が、スマートフォン、タブレットコンピュータ、及び／又はラップトップコンピュータであることを特徴とする請求項１に記載の丸編み機。
【請求項３】
入力装置のワイヤレス式の接続の為のインターフェースが、ブルートゥースコミュニケーション装置、ＷＬＡＮコミュニケーション装置、及び／又はＮＦＣコミュニケーション装置を有することを特徴とする請求項１または２に記載の丸編み機。
【請求項４】
ワイヤレス式のコミュニケーション装置が、２．５ｍ以下のサービス射程範囲を有することを特徴とする請求項３に記載の丸編み機。
【請求項５】
インターフェースが、入力装置の為のドッキングステーションを有することを特徴とする請求項１から４のいずれか一項に記載の丸編み機。
【請求項６】
インターフェースが、少なくとも一つのＵＳＢ接続部、ＣＡＮ接続部、イーサネット接続部、及び／又はＲＳ２３２接続部を有することを特徴とする請求項１から５のいずれか一項に記載の丸編み機。
【請求項７】
インターフェースに対するアクセスが、パスワード保護されていることを特徴とする請求項１から６のいずれか一項に記載の丸編み機。
【請求項８】
インターフェースが、アクセスコードを介して駆動可能であることを特徴とする請求項１から７のいずれか一項に記載の丸編み機。
【発明の詳細な説明】
【技術分野】
【０００１】
丸編み機は、機械制御装置を設けられており、この機械制御装置は、ディスプレイ及びキーボードまたはタッチスクリーンを有する操作装置を介して操作されることが可能である。操作装置は、ケーブルを介して機械制御装置と接続されている。よって、機械制御装置の操作の為に、比較的高いハードウェア及びソフトウェアコストが必要である。
【背景技術】
【０００２】
特許文献１から、丸編み機の為のマイクロコントロール装置が公知である。この装置は、入力装置、通信装置、および制御装置の機能を統合している。入力は、タッチスクリーンを介して行われる。このタッチスクリーンはケーブルを介してマイクロコントロール装置と接続されている。タッチスクリーンは、丸編み機の固定的な構成要素である。マイクロコントロール装置は、ＲＳ４８５インターフェースを介して丸編み機と接続されている。その際、マイクロコントロール装置内への異なる機能の統合によって、制御のレスポンス時間は、短縮されることが可能である。
【先行技術文献】
【特許文献】
【０００３】
【特許文献１】米国特許６，９３１，２９９  Ｂ２号明細書
【発明の概要】
【発明が解決しようとする課題】
【０００４】
本発明は、簡易化されかつコスト面で安価な機械制御の操作（部）を有する丸編み機を提供するべきである。
【課題を解決するための手段】
【０００５】
この課題は、ワイヤレス式及び／又はワイヤード式の接続の為のモバイル式の入力装置のインターフェースを有する機械制御装置を有する丸編み機によって解決される。インターフェースは、その際、制御装置と接続されることが可能であるインテリジェントユニットに配置されることも可能である。
【０００６】
発明に係る丸編み機においては、入力装置は、もはや機械の固定的構成要素ではない。これにより、唯一のモバイル式の入力装置によって、発明に係る複数の丸編み機が操作されることが可能である。丸編み機においては、操作装置の存在も省略されることが可能である。入力装置に対するインターフェースのみが用意される必要がある。これによって機械の製造の際の明らかな節約が図られることができる。
【０００７】
モバイル式の入力装置が、スマートフォン、タブレットコンピュータ、及び／又はラップトップコンピュータであるとき、特に有利である。これにより、一般的な装置が、機械の操作及び駆動の為に使用されることができる。これら装置は、その上、オペレーターが持ち歩くのに小さく軽い。
【０００８】
好ましくは、入力装置のワイヤレス式の接続の為のインターフェースは、ブルートゥースコミュニケーション装置、ＷＬＡＮコミュニケーション装置、及び／又はＮＦＣコミュニケーション装置を有する。機械制御のワイヤレス式の操作は、特に迅速かつ快適に実施することができる。ワイヤレス式コミュニケーション装置は、その上、入力装置の選択の際に極めて大きな自由度を可能とする。
【０００９】
その際、安全上の理由から、ワイヤレス式コミュニケーション装置は、２．５ｍ以下のサービス射程範囲を有している。機械は、これによって視界からのみ駆動されることが可能である。場合によっては発生する機能上の問題は、すぐに把握される。
【００１０】
ワイヤレス式のコミュニケーション装置に対する追加または代替として、インターフェースが、入力装置の為のドッキングステーションを有することも可能である。ドッキングステーションを介して、入力装置と丸編み機の間の固定的な電気接続が発生する。これは、入力装置をドッキングステーション内に簡単にセットすることによって形成される。
【００１１】
モバイル式の入力装置と丸編み機の間の固定的な電気接続を形成する他の可能性は、インターフェースが、少なくとも一つのＵＳＢ接続部、ＣＡＮ接続部、イーサネット接続部、及び／又はＲＳ２３２接続部を有することにある。入力装置は、ここではケーブルによって相応する接続部と接続される。ドッキングステーションが、独自の入力装置のセットを必要とする一方、プラグ接続を介して異なるタイプの入力装置が使用されることが可能である。
【００１２】
安全上の理由から、インターフェースへのアクセスがパスワード保護されていると更に有利である。権限の無い者による機械の操作は、これによって排除されることができる。
【００１３】
複数の丸編み機が同時に駆動されることを防止するために、インターフェースがアクセスコードを介して駆動可能であることができる。その際、丸編み機の駆動の為に、メーカー特有のアプリケーションも入力装置にロードされることが可能である。
【００１４】
発明に係る丸編み機においては、駆動の「操作」および「コミュニケーション」の機能が、外部の一般的なインテリジェント式の入力装置に置かれている。機械には、純然たるインターフェースのみが設けられる必要がある。本来の機械制御は、例えばマイクロコントローラーによって行われることができる。
(57)【要約】【課題】頻尿や尿漏れに対し、褌の紐３を緩めずに、排尿時の陰茎の出し入れが開放された前袋上部から速やかにできる。さらに市販の尿吸収パッド７の装着と、その脱落を防ぐ上部開放筒状褌を提供する。【解決手段】前袋右側部２ｆと後布右側部１ｄ、前袋左側部２ｇと後布左側部１ｅを縫着し筒状にし、支持部１ｂで支持、前袋２上部を開放した上部開放筒状褌。さらに、支持部に前垂れ１ｃを付け、前袋２にファスナー６を付けた上部開放筒状褌【選択図】図７
2016017258.tif 000002
【特許請求の範囲】
【請求項１】
前袋右側部２ｆと後布右側部１ｄ、前袋左側部２ｇと後布左側部１ｅを縫着し筒状にし、支持部１ｂで支持、前袋２上部を開放した上部開放筒状褌。
【請求項２】
支持部１ｂに前垂れ１ｃを付けた、請求項１の上部開放筒状褌。
【請求項３】
前袋２にファスナー６を付けた、請求項１又は請求項２の上部開放筒状褌。
【発明の詳細な説明】
【技術分野】
【０００１】本発明は、頻尿や尿漏れに対し、陰茎の出し入れや、尿吸収パッドの装着を速やか行う為に、前袋２の上部を開放した筒状褌に関するものである。
【背景技術】
【０００２】従来の男性下着は、支持する為に紐や平ゴム等で上部が塞がれていた。
【発明の概要】
【発明が解決しようとする課題】
【０００３】従来の男性下着は、排尿時に紐やゴム支持部を緩めたり隙間から出す必要があり、男性器の形状から尿吸収パッド装着は難しく、脱落も有った。
【課題を解決するための手段】
【０００４】前袋右側部２ｆと後布右側部１ｄ、前袋左側部２ｇと後布左側部１ｅを縫着し筒状にし、支持部１ｂで支持、前袋上部を開放した上部開放筒状褌。
さらに、支持部に前垂れ１ｃを付け、前袋２にファスナー６を付けた上部開放筒状褌。
【発明の効果】
【０００５】小型で外見から目立ち難く携行や乾燥も楽で、筒状なので陰茎が左右に出ず、体形に合わせて紐で調整できる。前袋の上部開放により、紐を緩めないで陰茎を引き出して排尿でき、排尿後のわずかな尿漏れを吸収するティッシュの交換も前袋上部から速やかにできる。
さらに、ファスナーの開閉により市販の尿吸収パッドの装着も可能、外れてもパッドが褌内に留まる。また前垂れ１ｃを前袋の内側に入れることでファスナーの開閉が安全にでき、外部への染み出しも軽減される。
【図面の簡単な説明】
【０００６】
【図１】本発明請求項１の支持布斜視図
【図２】本発明請求項１の前袋左側面図
【図３】本発明請求項１の支持布と前袋との縫着前の斜視図
【図４】本発明請求項１の左後斜視図
【図５】本発明請求項２の前垂れ付支持布斜視図
【図６】本発明請求項３のファスナー付前袋左側面図
【図７】本発明請求項２、請求項３の左前斜視図
【図８】本発明請求項２、請求項３の断面図
【発明を実施するための形態】
【０００７】本発明に関る本請求項１記載の実施例について以下の通り説明する。
本発明の褌は、支持布１と前袋２と紐３により構成される。
支持布１は長方形の布を２つに折り、紐を挿通する支持部１ｂを設け、残りを縫着し後布１ａとする。
前袋２は前布２ａ、２ｂ  ２枚の布の、陰茎収納部２ｃを直線に縫着、陰嚢収納部２ｄと紐取付部２ｅを略Ｓ字曲線に縫着する。
紐３は紐取付部２ｅから臀部に通し腰部を一廻して捲着出来る長さの布を、支持部１ｂに挿通可能な幅の平帯状に逢着する。
前袋右側部２ｆと後布右側部１ｄ、前袋左側部２ｇと後布左側部１ｅを縫着し筒状にし、前袋紐取付部２ｅに紐端３ａを取り付ける。
【０００８】本発明の褌は、後布１ａ下端と前袋２の間から陰茎４を挿入、前垂れ１ｃを上げ前袋上より手をいれ陰茎４を引上げ、陰嚢５を陰嚢収納部２ｄに収める。紐は股間から臀部に通し腰部から腹部に廻し、支持部１ｂで支持し、腰の後方曲折部３ｂで折返し捲着する。
上部の開放により褌を緩めることなく、前袋上から速やかに陰茎を引出して排尿でき、また排尿後のわずかな尿漏れを吸収するティッシュの交換も開放部からできる。
【０００９】本発明に関る本請求項２、請求項３記載の実施例について以下の通り説明する。
本発明の褌は前垂れ１ｃが付いた支持布１と前袋と紐により構成される。
支持布１は長方形の布の中央に紐を挿通する支持部１ｂを設け、支持布１ａと前垂れ１ｃに使い分けする。
前袋２は前布２ａ、２ｂ  ２枚の布の、陰茎収納部２ｃにファスナー６を縫着、陰嚢収納部２ｃと紐取付部２ｅを略Ｓ字曲線２ｄに縫着する。
紐３は紐取付部２ｅから臀部に通し腰部を一廻して捲着出来る長さの布を、支持部１ｂに挿通可能な幅の平帯状に縫着する。
前袋右側部２ｆと後布右側部１ｄ、前袋左側部２ｇと後布左側部１ｅを縫着し筒状にし、前袋紐取付部２ｅに紐端３ａを取り付ける。
【００１０】本発明の褌は、後布１ａ下端と前袋２の間から陰茎４を挿入、前垂れ１ｃを上げ前袋上より手をいれ陰茎４を引上げ、陰嚢５を陰嚢収納部２ｄに収める。紐は股間から臀部に通し腰部から腹部に廻し、支持部１ｂで支持し、腰の後方曲折部３ｂで折返し捲着する。
【００１１】市販の尿吸収パッド７の使用時は、前袋のファスナー６を下げ、尿吸収パッド７を後布及び前垂れの内側に装着する。前垂れ１ｃを前袋２の内側に下げることにより、外部への染み出しも軽減され、前袋のファスナー６を安全に上げることができる。
【符号の説明】
【００１２】１  支持布、１ａ  後布、１ｂ  支持部、１ｃ  前垂れ、１ｄ  支持布右側部、１ｅ  支持布左側部
２  前袋、２ａ  前布ａ、２ｂ  前布ｂ、２ｃ  陰茎収納部、２ｄ  陰嚢収納部、２ｅ  紐取付部、２ｆ  前袋右側部、２ｇ  前袋左側部
３  紐、３ａ  紐端、３ｂ  曲折部、３ｃ  捲着部
４  陰茎
５  陰嚢
６  ファスナー
７  尿吸収パッド（市販品）
【図１】
2016017258.tif 000003
【図２】
2016017258.tif 000004
【図３】
2016017258.tif 000005
【図４】
2016017258.tif 000006
【図５】
2016017258.tif 000007
【図６】
2016017258.tif 000008
【図７】
2016017258.tif 000009
【図８】
2016017258.tif 000010
(57)【要約】【課題】製剤の分野で一般的に利用されている成分および添加剤を使用し、かつ特別な製造機械や製造工程を必要としない服用感を改善した子供用の内服液剤の提供を課題とする。【解決手段】ニンジン、バクモンドウ、カンゾウ、タイソウ、ケイヒ及びローヤルゼリーとタウリンを配合することを特徴とする服用感を改善した子供用の内服液剤。【選択図】なし【特許請求の範囲】
【請求項１】
タウリンを配合し、且つ、生薬としてニンジン、バクモンドウ、カンゾウ、タイソウ、ケイヒ及びローヤルゼリーを含有することを特徴とする７才〜１４才向けの内服液剤。
【請求項２】
組成物ｐＨが３．０〜６．０である請求項１に記載の内服液剤。
【請求項３】
精製白糖、ソルビトール液およびエリスリトールを含有する請求項２に記載の内服液剤。
【発明の詳細な説明】
【技術分野】
【０００１】  本発明は、子供向けの内服液剤であって、数種類の生薬類が配合された内服液剤の服用の改善に関する。
【背景技術】
【０００２】  現在、医薬品や医薬部外品のビタミン含有保健薬関連の市場において、内服液剤の剤形で販売されている商品は少なくない。また、販売されている商品の大半が、用法用量を１５才以上としたものであり、１５才以下の子供を対象とした商品は少ない。【０００３】  内服液剤は、錠剤等に比べ、服用し易いとの利点があるものの、生薬類等の成分を配合することで独特の苦味や風味、収れん味等が発生し、不快な味の改善に何らかのマスキングが必要となる。【０００４】  不快な味を有するもののマスキング方法として、特許文献１のように香料と甘味料を組み合わせる方法があるが、生薬類の独特な苦味や風味、収れん味等の不快な味を抑え、飲み初めや後味のバランスを整え、子供向けに満足できる味を得ることが困難であった。このため、子供向けの生薬配合内服液剤にあって、味の改善が望まれていた。
【先行技術文献】
【特許文献】
【０００５】
【特許文献１】  特許第４１９０７６９号
【発明の概要】
【発明が解決しようとする課題】
【０００６】  従って本発明の目的は、子供向けの生薬配合内服液剤において、味の改善された内服液剤を提供することを課題とする。
【課題を解決するための手段】
【０００７】  本発明者は、７才〜１５才の子供向けとして滋養強壮の生薬類を数種類配合した内服液剤において、服用感を改善することを目的として鋭意検討を行った。その結果、生薬類に白糖、ソルビトールおよびエリスリトールを配合しても、服用感は改善しないが、タウリンを同時に配合することで、生薬類の苦味や収れん味が改善できることを見出し、本発明に至った。
【発明の効果】
【０００８】  本発明の配合により製した内服液は、生薬類が有する苦味や収れん味の不快な味を抑え、服用感を改善することができる。
【発明を実施するための形態】
【０００９】  本発明に使用するタウリンは、第１６改正日本薬局方に準じるものである。
【００１０】  本発明において、７才〜１５才の子供向け内服液剤として使用する生薬類は、ニンジン、バクモンドウ、カンゾウ、タイソウ、ケイヒ及びローヤルゼリーである。
【００１１】  本発明に使用する甘味剤は、精製白糖、ソルビトール液及びエリスリトールである。
【００１２】  かくして得られる本発明の内服液剤は、必要に応じて公知の添加剤、例えばｐＨ調整剤、防腐剤、矯味剤、香料等を加えることができる。
【実施例】
【００１３】  以下、実施例と比較例を挙げて本発明をさらに詳細に説明するが、本発明はこれらに限定されるものではない。
【実施例１】
【００１４】  精製水６０ｍＬを加温し、原生薬換算量でニンジン１２６０ｍｇ、バクモンドウ２４００ｍｇ、カンゾウ１２００ｍｇ、タイソウ１５００ｍｇ、ケイヒ３００ｍｇ及びローヤルゼリー３００ｍｇを溶解させる。更に、タウリン２２５０ｍｇ、精製白糖９０００ｍｇ、７０％ソルビトール液１５０００ｍｇ及びエリスリトール９０００ｍｇを溶解させ、ｐＨ調整剤にてｐＨ４．８に調整後、精製水にて全量を１８０ｍＬとして、内服液剤を得た。【００１５】（比較例１）
精製水６０ｍＬを加温し、原生薬換算量でニンジン１２６０ｍｇ、バクモンドウ２４００ｍｇ、カンゾウ１２００ｍｇ、タイソウ１５００ｍｇ、ケイヒ３００ｍｇ及びローヤルゼリー３００ｍｇを溶解させる。更に、精製白糖９０００ｍｇ、７０％ソルビトール液１５０００ｍｇ及びエリスリトール９０００ｍｇを溶解させ、ｐＨ調整剤にてｐＨ４．８に調整後、精製水にて全量を１８０ｍＬとして、内服液剤を得た。【００１６】（比較例２）
精製水６０ｍＬを加温し、原生薬換算量でニンジン１２６０ｍｇ、バクモンドウ２４００ｍｇ、カンゾウ１２００ｍｇ、タイソウ１５００ｍｇ、ケイヒ３００ｍｇ及びローヤルゼリー３００ｍｇを溶解させる。更に、精製白糖３００００ｍｇを溶解させ、ｐＨ調整剤にてｐＨ４．８に調整後、精製水にて全量を１８０ｍＬとして、内服液剤を得た。【００１７】（比較例３）
精製水６０ｍＬを加温し、原生薬換算量でニンジン１２６０ｍｇ、バクモンドウ２４００ｍｇ、カンゾウ１２００ｍｇ、タイソウ１５００ｍｇ、ケイヒ３００ｍｇ及びローヤルゼリー３００ｍｇを溶解させる。更に、７０％ソルビトール液３００００ｍｇを溶解させ、ｐＨ調整剤にてｐＨ４．８に調整後、精製水にて全量を１８０ｍＬとして、内服液剤を得た。【００１８】（比較例４）
精製水６０ｍＬを加温し、原生薬換算量でニンジン１２６０ｍｇ、バクモンドウ２４００ｍｇ、カンゾウ１２００ｍｇ、タイソウ１５００ｍｇ、ケイヒ３００ｍｇ及びローヤルゼリー３００ｍｇを溶解させる。更に、エリスリトール３００００ｍｇを溶解させ、ｐＨ調整剤にてｐＨ４．８に調整後、精製水にて全量を１８０ｍＬとして、内服液剤を得た。【００１９】（比較例５）
精製水６０ｍＬを加温し、原生薬換算量でニンジン１２６０ｍｇ、バクモンドウ２４００ｍｇ、カンゾウ１２００ｍｇ、タイソウ１５００ｍｇ、ケイヒ３００ｍｇ及びローヤルゼリー３００ｍｇを溶解させる。更に、精製白糖３００００ｍｇ及びスクラロース３０ｍｇを溶解させ、ｐＨ調整剤にてｐＨ４．８に調整後、精製水にて全量を１８０ｍＬとして、内服液剤を得た。【００２０】
【表１】
2016017076.tif 000002
【００２１】（試験例）
上記の実施例１、比較例１〜５で得た内服液剤を用いて、３名のパネラーにて官能試験を行った。官能試験の評価として、飲み始めの味及び後味において生薬類の不快な味を下記基準で評価した。官能試験結果を表２に示す。
生薬類の苦味や収れん味等の不快な味；−不快に感じない  スコア３、±：僅かに不快に感じる  スコア２、＋：不快に感じる  スコア１【００２２】
【表２】
2016017076.tif 000003
【００２３】  表２のように、本発明に係る内服液剤は、生薬類の不快な味を抑制し、服用感を改善していることが確認できた。
(57)【要約】      （修正有）【課題】家庭で必要な小物の収納場所を、目立つ場所に置くことを目的とした小物入れ付置時計を提供する。【解決手段】置時計１に小物入れ用収納ボックス２を、取り付けることで、常に目立つ場所に小物入れがあり、小物を収納した場所を、分かり安くする。【選択図】図２
2016017954.tif 000002
【特許請求の範囲】
【請求項１】
置時計の底部に引き出し式小物入れを取り付けた置時計。
【請求項２】
置時計の底部に小型の箱を、取り付け、取り出し部分のふたをビス止めとした貯金箱付き置時計
【発明の詳細な説明】
【技術分野】
【０００１】この発明は物入れが目立つ場所にある事による、鍵、印鑑等の小物の入れた場所を分かり安くする事を目的とする。
【背景技術】
【０００２】従来は小物入れを取り付けた置時計はなかった。
【発明の開示】
【０００３】
【課題を解決しょうとする課題】
【０００４】従来家庭内で使用する小物は、収納の際、収納庫の奥に仕舞いがちであり、いざ必要の際に困窮する場合があった。
【課題を解決する為の手段】
【０００５】置時計に小物入れ用収納ボックスを、取り付けることで、常に目立つ場所に小物入れがあり、小物を収納した場所を、分かり安くした。
【発明の効果】
【０００６】従来家庭内の小物は仕舞忘れがよく有るが、目立つ場所に小物入れが有る事で、小物を収納した場所を、分かり安くした。
【実施例１】
【０００７】  家庭内の小物は、鍵、印鑑、乾電池、等多種にわたって有るがその置き場所は様々でありいざ必要の際に、困窮する場合が有るが、小物入れ用収納ボックスが、目立つ場所に有る事で仕舞い忘れを防ぎ、便利に利用する事が可能である。
【図面の簡単な説明】
【０００８】
【図１】  本発明の正面図である。
【図２】  本発明の断面図である。
【符号の説明】
【０００９】１  置時計
２  小物入れ
【図１】
2016017954.tif 000003
【図２】
2016017954.tif 000004
(57)【要約】      （修正有）【課題】コンパクトに折り畳めるコンロを提供する。【解決手段】前面板２、二つの側面板３及び背面板４が、それぞれの連結部が蝶番状に連結され、一つの概ね正方形の筒を形成し、前面板２は底面板５を回転自在に軸支しており、底面板５は、折り畳み時には前面板２に密着しており、展開時には背面板４に形成された底面板掛止孔８の下端で掛止爪が掛止されることにより水平に維持され、それぞれの側面板３は、同じ大きさの二枚の板が蝶番状に連結されており、底面板５が前面板２に密着しているときには内側に折り畳むことができる、構成とした。【選択図】図１
2016017661.tif 000002
【特許請求の範囲】
【請求項１】
前面板、二つの側面板及び背面板が、それぞれの連結部が蝶番状に連結され、一つの概ね正方形の筒を形成し、
前面板は、下側中央に四角形の切り欠けがあり、その切り欠けの両側に底面板回転軸繋止部が形成されており、その底面板回転軸繋止部に底面板回転軸が繋止されており、その底面板回転軸が底面板を回転自在に軸支しており、
底面板は、前記筒の水平断面の内側いっぱいの大きさであり、多数の通気孔が形成されており、その回転軸に軸支されている側の反対側には掛止爪が形成されており、折り畳み時には前面板に密着しており、展開時には背面板に形成された底面板掛止孔の下端で前記掛止爪が掛止されることにより水平に維持され、
それぞれの側面板は、同じ大きさの二枚の板が蝶番状に連結されており、底面板が前面板に密着しているときには内側に折り畳むことができ、
背面板には、底面板掛止爪が掛止される底面板掛止孔が設けてあり、
折り畳み時には、背面板と側面板はほぼ密着し、前面板と側面板とは、その間に底面板が収納する空間が確保できるように、前面板の側面板との連結部は湾曲しており、折り畳み時には、前面板、底面板及び側面板がほぼ密着する、
折り畳みコンロ。
【発明の詳細な説明】
【技術分野】
【０００１】
この発明は、コンパクトに折り畳めるコンロに関する。
【背景技術】
【０００２】
コンパクトに折り畳めるコンロは種々考案されている。（例えば、特許文献1及び２参照。）
【先行技術文献】
【特許文献】
【０００３】
【特許文献１】特開平１０−１２７４９８号公報
【特許文献２】特開２００１−４１４５５号公報
【発明の概要】
【発明が解決しようとする課題】
【０００４】
これらは、折り畳むことができたり、部分的に簡単に分解できたりして、比較的コンパクトに収納することができるが、収納時に無駄な空間が残っている。また、分解できることから、部品が散逸することもある。
【０００５】
本発明は、極限までコンパクトに収納できるコンロを実現することを目的としている。
【課題を解決するための手段】
【０００６】
本発明の折り畳みコンロは、前面板、二つの側面板及び背面板が、それぞれの連結部が蝶番状に連結され、一つの概ね正方形の筒を形成し、前面板は、下側中央に四角形の切り欠けがあり、その切り欠けの両側に底面板回転軸繋止部が形成されており、その底面板回転軸繋止部に底面板回転軸が繋止されており、その底面板回転軸が底面板を回転自在に軸支しており、底面板は、前記筒の水平断面の内側いっぱいの大きさであり、多数の通気孔が形成されており、その回転軸に軸支されている側の反対側には掛止爪が形成されており、折り畳み時には前面板に密着しており、展開時には背面板に形成された底面板掛止孔の下端で前記掛止爪が掛止されることにより水平に維持され、それぞれの側面板は、同じ大きさの二枚の板が蝶番状に連結されており、底面板が前面板に密着しているときには内側に折り畳むことができ、背面板には、底面板掛止爪が掛止される底面板掛止孔が設けてあり、  折り畳み時には、背面板と側面板はほぼ密着し、前面板と側面板とは、その間に底面板が収納する空間が確保できるように、前面板の側面板との連結部は湾曲しており、折り畳み時には、前面板、底面板及び側面板がほぼ密着する、構成とした。
【発明の効果】
【０００７】
本発明の折り畳みコンロは、非常にコンパクトに収納できるため、家庭おいて非常災害用に備えておくのに適している。また、災害備蓄倉庫に備蓄するのにも適している。
【図面の簡単な説明】
【０００８】
【図１】本発明の折り畳みコンロの実施例の斜視図である。
【図２】本発明の折り畳みコンロの実施例の展開時の平面図である。
【図３】本発明の折り畳みコンロの実施例の底面板収納時の平面図である。
【図４】本発明の折り畳みコンロの実施例の側面板折り畳み途中の平面図である。
【図５】本発明の折り畳みコンロの実施例の折り畳み時の平面図である。
【図６】図２におけるＡ−Ａ線断面図である。
【図７】図３におけるＢ−Ｂ線断面図である。
【発明を実施するための形態】
【０００９】
以下、本発明の実施の形態を図１〜図７に基づいて説明する。
【００１０】
掛止爪９の長さは、必要最小限とする。
底面板掛止孔８の高さは、底面板５の回転に支障が生じない範囲で最小にする。
底面板回転軸繋止部７は、底面板２から形成するが、別の部材を固着させることも可能である。
底面板回転軸６の前面板２への繋止方法はこれに限定するものではない。
底面板の下で灰等を受ける板を回転自在に背面板４に取り付けてもよい。
【符号の説明】
【００１１】
１    本発明の折り畳みコンロ
２    前面板
３    側面板
４    背面板
５    底面板
６    底面板回転軸
７    底面板回転軸繋止部
８    底面板掛止孔
９    掛止爪
１０    通気孔
【図１】
2016017661.tif 000003
【図２】
2016017661.tif 000004
【図３】
2016017661.tif 000005
【図４】
2016017661.tif 000006
【図５】
2016017661.tif 000007
【図６】
2016017661.tif 000008
【図７】
2016017661.tif 000009